(57)【要約】【課題】  接続の遅滞を招かずに省電力化を図る。【解決手段】  ビーコンを発射し、前記ビーコンに応答した端末（５〜７）との間で無線による接続を行う無線中継装置（２〜４）は、前記ビーコンを第１の周期で発射する通常モードと、前記ビーコンを前記第１の周期よりも長周期の第２の周期で発射する省電力モードとを択一的に選択可能な選択手段（１０）を備える。第１の周期よりも長周期の第２の周期でビーコンを発射するのでビーコンの発射回数を減らして省電力性を改善することができ、また、ビーコンが途絶しないので接続の遅滞を招くこともない。【選択図】  図２
2012081177.tif 000002
【特許請求の範囲】
【請求項１】
ビーコンを発射し、前記ビーコンに応答した端末との間で無線による接続を行う無線中継装置において、
前記ビーコンを第１の周期で発射する通常モードと、前記ビーコンを前記第１の周期よりも長周期の第２の周期で発射する省電力モードとを択一的に選択可能な選択手段を備えたことを特徴とする無線中継装置。
【請求項２】
前記選択手段に対して、前記通常モードと前記省電力モードのいずれを選択するかを指定するためのユーザインターフェースを提供するユーザインターフェース手段をさらに備えたことを特徴とする請求項１に記載の無線中継装置。
【請求項３】
請求項１に記載の無線中継装置を含む無線ＬＡＮシステムであって、
請求項２に記載のユーザインターフェース手段を備えた制御装置をＬＡＮ上に有することを特徴とする無線ＬＡＮシステム。
【請求項４】
請求項２に記載のユーザインターフェース手段は、時系列的なスケジュールに沿って前記通常モードと前記省電力モードとを択一的に指定可能であることを特徴とする無線中継装置。
【請求項５】
請求項１に記載の選択手段は、他の無線中継装置からのビーコン受信の有無に応じて、前記通常モードと前記省電力モードとを択一的に指定可能であることを特徴とする無線中継装置。
【請求項６】
前記第２の周期を段階的又は無段階に変更できる周期変更手段をさらに備えたことを特徴とする請求項１に記載の無線中継装置。
【請求項７】
ビーコンを発射し、前記ビーコンに応答した端末との間で無線による接続を行う無線中継装置の制御方法において、
前記ビーコンを第１の周期で発射する通常モードと、前記ビーコンを前記第１の周期よりも長周期の第２の周期で発射する省電力モードとを択一的に選択可能な選択工程を含むことを特徴とする無線中継方法。
【請求項８】
ビーコンを発射し、前記ビーコンに応答した端末との間で無線による接続を行う無線中継装置のコンピュータを、
前記ビーコンを第１の周期で発射する通常モードと、前記ビーコンを前記第１の周期よりも長周期の第２の周期で発射する省電力モードとを択一的に選択可能な選択手段として機能させるためのプログラム。
【発明の詳細な説明】
【技術分野】
【０００１】
本発明は、無線中継装置、無線ＬＡＮシステム、無線中継方法及びプログラムに関し、詳しくは、省電力性の改善を図った無線中継装置、無線ＬＡＮシステム、無線中継方法及びプログラムに関する。
【背景技術】
【０００２】
無線ＬＡＮシステムは、アクセスポイント（以下、ＡＰと略す）と呼ばれる無線中継装置を経由し、ワイヤレスで、有線ＬＡＮやインターネットなどのネットワークリソースにアクセスできる便利なシステムであり、家庭や職場あるいは駅や空港といった公共施設などに広く普及している。【０００３】
無線ＬＡＮシステムを利用できる電子機器のことを無線ＬＡＮ端末または単に端末あるいは無線ＬＡＮステーション（以下、ＳＴＡと略す）という。ＳＴＡの典型はパーソナルコンピュータや情報端末などであり、一般的にそれらは携帯型や可搬型（持ち運び可能なもの）であるが、ネットワークケーブル不要の利点から一部の固定型のものもＳＴＡとして用いられることもある。【０００４】
ＳＴＡとＡＰの接続は、基本的に、ＡＰから定期的に発射（送信ともいう）されるビーコンと呼ばれるブロードキャスト信号（不特定相手の信号）をＳＴＡで捕捉（受信ともいう）することによって行われる。たとえば、ＡＰが１台しかない小規模な無線ＬＡＮシステムであれば、そのＡＰからのビーコンを捕捉し、所定の処理（認証等）を経て接続を行えばよい。一方、職場や公共施設のように、多数のＡＰを備えた無線ＬＡＮシステムが構築されている場所では、ＡＰの選択（どのＡＰを接続先とするかの選択）を行う必要があることから、一般的にはビーコン電力選択方式、つまり、最も強いビーコンを送信しているＡＰを接続先としている。【０００５】
しかしながら、ＡＰの帯域（同時に伝送可能な上限データ量のこと）に限りがあるため、特定のＡＰに多くのＳＴＡが接続してしまうと、データの輻輳を招くという不都合を生じる。このため、多数のＡＰを備えた無線ＬＡＮシステムにおいては、それぞれのＡＰに接続するＳＴＡ数をできるだけ均等にするための技術（いわゆる負荷分散技術）が用いられている。たとえば、下記の特許文献１には、ＳＴＡが、あるＡＰ（以下、第１のＡＰ）に接続しようとするとき、第１のＡＰのビーコンに含まれている特定の情報（第１のＡＰから送信すべきデータの送信先となる端末数Ｎ１）と所定の閾値ＴＨ１とを比較して、Ｎ１＞ＴＨ１の場合に、他のＡＰ（以下、第２のＡＰ）のビーコンに含まれている特定の情報（第２のＡＰから送信すべきデータの送信先となる端末数Ｎ２）と上記のＮ１とを比較し、Ｎ１＜Ｎ２の場合は第１のＡＰを接続先とする一方、Ｎ１＞Ｎ２の場合は第２のＡＰを接続先とする負荷分散技術が記載されている。【０００６】
また、下記の特許文献２にも同様の負荷分散技術が記載されているが、この技術では、高負荷状態（輻輳中）のＡＰのビーコン電力を下げることによって負荷分散を図っている。前記のとおり、ＳＴＡによるＡＰの選択は、一般的にビーコン電力選択方式、つまり、最も強いビーコンを送信しているＡＰを接続先とする仕組みになっているからであり、ＡＰのビーコン電力を下げることによって、そのＡＰへの新たな接続が行われにくくなるからである。【０００７】
このような負荷分散技術を利用することにより、上記の不都合、すなわち、多数のＡＰを備えた無線ＬＡＮシステムにおけるデータの輻輳を回避することができる。【０００８】
ところで、多数のＡＰを備えた無線ＬＡＮシステムにおいては、上記の不都合（データの輻輳）に加え、不稼働ＡＰによる無駄な電力消費の問題を指摘することができる。すなわち、一般的にシステム内に存在するＳＴＡの数は常に一定でなく、たとえば、職場等においては執務時間内と執務時間外で大差があるのが普通であるが、執務時間外のように少数のＳＴＡしか存在しない、またはＳＴＡが１台も存在しない状況で、全てのＡＰを稼働させておくのは電力の無駄使いになるからである。【０００９】
かかる電力消費の問題は、とりわけ、大量のＡＰを有する無線ＬＡＮシステムの場合に看過できない。ＡＰ１台当たりの消費電力（一般的に最大数Ｗ程度）を便宜的に６Ｗとすると、仮に１００台のＡＰを有する無線ＬＡＮシステムの場合にはシステム全体で６００Ｗの電力消費になるからである。この値は極端に大きいものではないが、一般的に１００Ｗの１時間当たりの電気代（０．１Ｋｗｈ）がおよそ２円程度といわれていることから、６００Ｗではこの６倍の１２円になり、１年間では単純計算で１２円×８，７６０時間＝１０５，１２０円にもなる。【００１０】
この点において、下記の特許文献３には、ビーコン送信後に一定時間だけ省電力モードに移行するというＡＰの省電力技術が記載されているので、この技術を利用することにより、上記の省エネ問題を解決できるものと考えられる。
【先行技術文献】
【特許文献】
【００１１】
【特許文献１】特開２００７−１５８７６５号公報
【特許文献２】特開２００９−５３４９２９号公報
【特許文献３】特開２０１０−１９３２９０号公報
【発明の概要】
【発明が解決しようとする課題】
【００１２】
しかしながら、特許文献３に記載の技術にあっては、接続の遅滞（接続が待たされる）が発生するという新たな問題点を内在している。
すなわち、特許文献３に記載の技術では、いつからいつまで省電力モードになっているのかを示す情報（省電力モードの時間情報）をビーコンに含めてＡＰから送信する仕組みとなっており、そのビーコンを受信したＳＴＡは、当該時間の経過後に改めてＡＰに接続しなければならないが、当然ながら、その間、接続の遅滞（接続が待たされる）が発生する。【００１３】
そこで、本発明の目的は、接続の遅滞を招かずに省電力化を図ることにある。
【課題を解決するための手段】
【００１４】
本発明は、ビーコンを発射し、前記ビーコンに応答した端末との間で無線による接続を行う無線中継装置において、前記ビーコンを第１の周期で発射する通常モードと、前記ビーコンを前記第１の周期よりも長周期の第２の周期で発射する省電力モードとを択一的に選択可能な選択手段を備えたことを特徴とする無線中継装置である。
【発明の効果】
【００１５】
本発明によれば、第１の周期よりも長周期の第２の周期でビーコンを発射するのでビーコンの発射回数を減らして省電力性を改善することができ、また、ビーコンが途絶しないので接続の遅滞を招くこともない。したがって、接続の遅滞を招かずに省電力化を図ることができる。
【図面の簡単な説明】
【００１６】
【図１】無線ＬＡＮシステムの概略的な全体構成図である。
【図２】ＡＰの概念的な構成図及び操作部１２の一例構成図である。
【図３】通常モードと省電力モードの説明図である。
【図４】ＡＰの制御部１０の動作フローを示す図である。
【図５】二つの動作モード（通常モードと省電力モード）の説明図である。
【図６】実施形態の発展例を示す図である。
【図７】インターフェース画面の一例図である。
【図８】図７のインターフェース画面１８の一部改良図である。
【図９】ＡＰ２〜４及びＳＴＡ５〜７とサーバ１７との関係図である。
【図１０】携帯ＡＰの典型的な利用状態図及びホットスポットにおける利用状態図である。
【発明を実施するための形態】
【００１７】
以下、本発明の実施形態を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１８】
図１は、無線ＬＡＮシステムの概略的な全体構成図である。この図において、フロアー１には、計画的に配置された複数の無線中継装置（アクセスポイント。以下、ＡＰと略す）２〜４が設けられている。なお、図示のフロアー１は一例である。無線ＬＡＮシステムを構築した任意の場所やエリアであればよい。また、ＡＰ２〜４の台数（図では３台）も一例であり、少なくとも複数台であればよい。もっとも消費電力の問題が顕在化するのは大量のＡＰを有する無線ＬＡＮシステムの場合であるので、実際には、数十台ないしは数百台あるいはそれ以上のＡＰを対象とすることになるが、ここでは、説明の簡単化のために３台のＡＰ２〜４を対象にすることとする。
【００１９】
フロアー１には、さらに、複数の無線ＬＡＮ端末または無線ＬＡＮステーション（以下、ＳＴＡと略す）５〜７が存在している。ＳＴＡ５〜７の台数（図では３台）も上記のＡＰ２〜４の台数と同様に一例に過ぎない。ここでは、説明の簡単化のために３台のＳＴＡ５〜７を対象にすることとする。
【００２０】
ＳＴＡ５〜７は、パーソナルコンピュータや情報端末などであり、一般的にそれらは携帯型や可搬型（持ち運び可能なもの）であるが、ネットワークケーブル不要の利点から一部の固定型のものもＳＴＡとして用いられることもある。
【００２１】
ＳＴＡ５〜７の重要な点は、必要の都度、電源が入れられる（無線ＬＡＮ端末としての機能がオンにされる）ため、常に使用状態にないことである。あるいは、ＳＴＡ５〜７の全てまたはいくつかは携帯型や可搬型であって、それらはしばしば出先や自宅などに持ち出されるかもしれない。このような場合も、自ネットワーク（フロアー１に構築された無線ＬＡＮシステム）から外れるので、非使用状態になる。
【００２２】
今、図示の３台のＳＴＡ５〜７の全てが使用状態にあるとき、それぞれのＳＴＡ５〜７は３台のＡＰ２〜４のいずれかと接続している。全てのＳＴＡ５〜７が各ＡＰ２〜４のエリア内に位置しているとすると、接続は、まず、ＳＴＡ５〜７で、ＡＰ２〜４からのビーコンを受信し、次に、それらビーコンの電力を比較して、もっとも電力が大きいビーコンを送信したＡＰを接続先の候補とし、次いで、所要の認証処理（パスワード認証や所定の暗号化認証など）を実行して認証合格であれば、当該ＡＰを接続先として決定するという手順で行われる。任意のＡＰとの接続を確立したＳＴＡは、その後、当該ＡＰを介して不図示の有線ＬＡＮやインターネットなどのネットワークリソースに自由にアクセスすることができる。
【００２３】
この接続手順は、ビーコン電力選択方式と呼ばれる基本的なものである。この方式は家庭内無線ＬＡＮシステムのような小規模なもの（ＡＰが１台程度と少ないもの）によく用いられるが、企業等の大規模な無線ＬＡＮシステムには適当でない。特定のＡＰに接続が集中するとデータの輻輳を招くからである。一般的にＡＰの配置計画を適切にしてデータの輻輳を生じにくくしているものの、移動を伴うＳＴＡ（可搬型や携帯型のＳＴＡ）が多くを占める場合は、計画どおりにいかない。特定のＡＰの近くにＳＴＡが集中してしまう状況がしばしば発生するからである。このような状況を踏まえ、とりわけ、企業等の大規模な無線ＬＡＮシステムにおいては、冒頭で説明した負荷分散技術（たとえば、特許文献１、２）の利用が望ましい。各ＡＰに接続するＳＴＡ数をできるだけ均等にして、データの輻輳を回避できるからである。
【００２４】
図２（ａ）は、ＡＰの概念的な構成図である。この図において、ＡＰ２〜４は共通の構成を有しており、以下、ＡＰ２で代表すると、ＡＰ２は、アンテナ８、通信部９、制御部１０、時計部１１、操作部１２及び有線インターフェース部１３を備えている。
【００２５】
時計部１１は、現在時刻を計測して逐次にその計測結果を制御部１０に出力する。
制御部１０は、ＡＰ２の動作を統括制御するための要素であり、一般的にはプログラム制御方式によってＡＰ２に必要な機能を実現している。すなわち、制御部１０は、ＡＰ２に必要な機能をプログラミングしたソフトウェア（ファームウェアまたは制御プログラムもしくは応用プログラムなどともいう）を読み出し可能に保持する記憶要素（一般的にはＲＯＭやＰＲＯＭ）と、そのソフトウェアを実行するコンピュータ（またはマイクロコンピュータあるいはＣＰＵなど呼び名は様々である）とを含み、それらのソフトウェアとハードウェア（コンピュータやその周辺回路等）との有機的結合により、ＡＰ２に必要な機能を仮想的に実現する。但し、この実現方式（プログラム制御方式）に限定されない。ソフトウェアにプログラミングされた機能をハードロジックで実現してもよく、あるいは、このハードロジックによる実現方式と上記のプログラム制御方式とを適宜の割合で組み合わせてもよい。
【００２６】
通信部９は、制御部１０の制御の元、アンテナ８を介して無線通信を行う。この無線通信は公知の無線ＬＡＮ規格（ＩＥＥＥ８０２．１１シリーズ規格）に従って行われる。ちなみに、ＩＥＥＥ８０２．１１ａは５．２ＧＨＺ帯を使用したＯＦＤＭ通信方式の最大通信速度５４Ｍｂｐｓの通信規格、ＩＥＥＥ８０２．１１ｂは２．４ＧＨＺ帯を使用したＤＳ−ＳＳ通信方式の最大通信速度１１Ｍｂｐｓの通信規格、ＩＥＥＥ８０２．１１ｇは２．４ＧＨＺ帯を使用したＯＦＤＭ通信方式の最大通信速度５４Ｍｂｐｓの通信規格であり、通信部９は、これらの規格の全てまたは一部に対応する。また、通信部９は、所定の認証方式（ＳＳＩＤ、ＷＰＡ２−ＰＳＫなど）や所定の暗号化方式（ＷＥＰ、ＷＰＡ、ＷＰＡ２、ＴＫＩＰ、ＡＥＳなど）にも対応する。
【００２７】
通信部９は、ＩＥＥＥ８０２で規定されたビーコン（ビーコンパケットともいう）と呼ばれるブロードキャスト信号を所定の周期で送信する。この周期は一般的に特定の一つの周期（多くの場合１００ｍｓ：以下、第１の周期という）であるが、本実施形態では、この第１の周期に加えて、さらに、第１の周期よりも長周期の第２の周期でもビーコンの送信を行うことが可能なことがポイントである。これら二つの周期（第１及び第２の周期）の目的や使い方については後で詳しく説明する。
【００２８】
ビーコンには、そのビーコンを送信したＡＰに関する様々な情報が含まれている。たとえば、ＡＰの暗号設定情報、ＡＰの通信伝送レート設定情報、ＳＳＩＤ情報、ＥＳＳＩＤ情報などである。ＳＳＩＤはＳｅｒｖｉｃｅ  ＳｅｔＩＤの略、ＥＳＳＩＤはＥｘｔｅｎｄｅｄ  Ｓｅｒｖｉｃｅ  ＳｅｔＩＤの略である。ＳＳＩＤやＥＳＳＩＤはＡＰ固有の識別情報（ＩＤ）であり、最大３２文字までの英数字を任意に設定することができる。本実施形態では、ＳＳＩＤやＥＳＳＩＤを個々のＡＰの名前を表すものとして利用することとし、説明の便宜上、ＡＰ２のＳＳＩＤまたはＥＳＳＩＤに“ＭｙＡｃｃｅｓｓＰｏｉｎｔ−１”、ＡＰ３のＳＳＩＤまたはＥＳＳＩＤに“ＭｙＡｃｃｅｓｓＰｏｉｎｔ−２”、ＡＰ４のＳＳＩＤまたはＥＳＳＩＤに“ＭｙＡｃｃｅｓｓＰｏｉｎｔ−３”という文字列を設定するものとする。すなわち、ＡＰ２の名前を“ＭｙＡｃｃｅｓｓＰｏｉｎｔ−１”とし、ＡＰ３の名前を“ＭｙＡｃｃｅｓｓＰｏｉｎｔ−２”とし、ＡＰ４の名前を“ＭｙＡｃｃｅｓｓＰｏｉｎｔ−３”とする。
【００２９】
有線インターフェース部１３は、ＡＰ２と有線ネットワーク１４との間のデータ伝送を仲介する。有線ネットワーク１４は一つのネットワークであってもよく、あるいは、ルータを介して相互に接続された複数ネットワーク（インターネット等の広域ネットワークを含む）の集合体であってもよい。
【００３０】
操作部１２は、ＡＰ２の様々な設定をローカル（ＡＰ２自体）で行うためのユーザインターフェースである。操作部１２で設定可能な情報は、たとえば、ＡＰのネットワークアドレス（ＩＰアドレス）、認証方式、暗号化方式、およびＳＳＩＤやＥＳＳＩＤなどであるが、本実施形態では、これらに加えてさらに、動作モード（通常モードと省電力モード）の設定を含む。
【００３１】
通常モードと省電力モードは電力消費の大小の点で相違する（省電力モードの方が少ない）。電力消費の違いは、もっぱらビーコン送信期間（Ａｗａｋｅステート）の割合に依存している。つまり、通常モードのビーコン送信は第１の周期で行われ、省電力モードのビーコン送信は第１の周期よりも長周期の第２の周期で行われるようになっている。前記のとおり、第１の周期は一般的に１００ｍｓであるから、この第１の周期を適用する通常モードでは１秒間に１０回のビーコン送信が行われることになる。
【００３２】
今、１回のＡｗａｋｅステート（ビーコン送信期間）に要する時間をｘとすると、通常モードにおける１秒当たりの総Ａｗａｋｅステート時間は１０ｘになる。一方、第２の周期を便宜的に５００ｍｓとすると、この第２の周期を適用する省電力モードでは１秒間に２回のビーコン送信が行われることになり、省電力モードにおける１秒当たりの総Ａｗａｋｅステート時間は２ｘになる。
【００３３】
このように、第１の周期を１００ｍｓとし、第２の周期をそのｎ倍とした場合には、通常モードの総Ａｗａｋｅステート時間に対して省電力モードの総Ａｗａｋｅステート時間を１／ｎに減少させることができる。そして、ＡＰはＡｗａｋｅステートのときに最大電力を消費する仕組みになっているから、結果として、ビーコンの送信を第１の周期よりもｎ倍長周期の第２の周期で行うことにより、総Ａｗａｋｅステート時間の減少を図り、その減少分だけ電力消費量を抑えることができるのである。
【００３４】
図２（ｂ）、（ｃ）は、操作部１２の一例構成図である。これらの図は、動作モード（通常モードと省電力モード）の設定を人為的に行うための具体例を示している。この具体例は２個のダイアルスイッチ１５、１６を横に並べ、さらに、その周りに所要の説明文字列（“始”、“終”、“通常モード”、“その他の時間帯”、“省電力モード”など）を記した構成を有している。２個のダイヤルスイッチ１５、１６は各々時間設定用であり、ここでは、それぞれ４連の回転ダイヤルで構成されているものとする。回転ダイヤルの外周には０〜９までの数字が刻印されており、たとえば、（ｂ）のように図面左側のダイヤルスイッチ１５に“０８００”、図面右側のダイヤルスイッチ１５に“１７００”をセットすると、２４時間表記で０８：００から１７：００まで（１２時間表記では午前８から午後５時まで）の時間帯をセットしたことになる。
【００３５】
ここでは、２個のダイヤルスイッチ１５、１６にセットした時間帯を「通常モード」の適用時間帯とする。したがって、（ｂ）においては、他の時間帯、つまり、００：００〜０８：００及び１７：００〜２４：００は自動的に「省電力モード」の適用時間帯になる。なお、（ｂ）の時間帯（０８：００〜１７：００）は一例であり、多くの職場における代表的な執務時間帯を表しているに過ぎない。使用環境の実情に即した適切な時間帯をセットすればよいことはもちろんである。
【００３６】
また、事情によっては省電力モードが不要で、１日（２４時間）の全てを「通常モード」にする必要があるかもしれないが、そのような場合は、（ｃ）に示すように、２個のダイアルスイッチ１５、１６に同じ値（たとえば、００：００など）をセットすればよい。時間帯の“始”と“終”が同一になり、２４時間の全てを「通常モード」にすることができる。
【００３７】
（ｂ）、（ｃ）のいずれにせよ、重要な点は、ＡＰ２に対して、二つの動作モード（通常モードと省電力モード）の時系列的なスケジュールを人為的に自由に設定できることにあり、ＡＰ２は、そのためのユーザインターフェース手段としての操作部１２を備えていることにある。
【００３８】
なお、ここでは、ダイヤルスイッチ１５、１６で「通常モード」の時間帯をセットしているが、逆であってもよい。つまり、ダイヤルスイッチ１５、１６で「省電力力モード」の時間帯をセットしてもよい。また、時間帯のセットは上記例示のもの（ダイヤルスイッチ１５、１６）以外の方法で行ってもよい。たとえば、液晶パネルと操作ボタンの組み合わせや、液晶パネルとタッチパネルの組み合わせなどで行ってもよい。あるいは、ＡＰ２の内部（制御部１０等）にＷｅｂサーバ機能を組み込んでおき、このＷｅｂサーバにより、二つの動作モード（通常モードと省電力モード）の時系列的なスケジュールを人為的に設定するためのウェブドキュメントを有線ネットワーク１４に公開するようにしてもよい。この場合、有線ネットワーク１４上の任意のパーソナルコンピュータ（但し、上記のウェブドキュメントを閲覧操作できる機能を有するもの）から遠隔的に二つの動作モード（通常モードと省電力モード）の時系列的なスケジュールを設定できるから好ましい。
【００３９】
図３は、通常モードと省電力モードの説明図である。この図において、上段は二つの動作モードの時系列的なスケジュールを表し、上から二段目は各モードのビーコン送信のタイミングを表している。たとえば、午前８時から午後５時までの時間帯を「通常モード」で運用し、残りの時間帯を「省電力モード」で運用するものとすると、通常モードのビーコン周期（第１の周期）に対して省電力モードのビーコン周期（第２の周期）は第１の周期よりも長くなっている。図中下段に通常モードと省電力モードのそれぞれのビーコンの部分拡大図を示す。この拡大図は便宜的に１秒間に発生するビーコンを示しており、通常モードでは等間隔に１０個（＃１〜＃１０）のビーコンが並び、省電力モードでは等間隔に２個（＃１、＃２）のビーコンが並んでいる。なお、これらの１秒当たりのビーコン数（１０個、２個）は、第１の周期を１０００ｍｓ、第２の周期を５００ｍｓとした場合の一例である。
【００４０】
先にも説明したとおり、ＡＰ２の電力消費量はビーコン送信期間（Ａｗａｋｅステート）の割合に依存する。つまり、通常モードのビーコン周期（第１の周期）を１００ｍｓとし、省電力モードのビーコン周期（第２の周期）をそのｎ倍にすると、通常モードの総Ａｗａｋｅステート時間に対して省電力モードの総Ａｗａｋｅステート時間を１／ｎに減少させることができるから、「省電力モード」の運用比率を高めるほど、ＡＰ２の電力消費量を抑えることができる。
【００４１】
図４は、ＡＰの制御部１０の動作フローを示す図である。この動作フローでは、まず、時計部１１で計測された現在時刻の読み込みを行い（ステップＳ１）、次いで、その現在時刻が操作部１２で設定された通常モードの時間帯に入っているか否かを判定する（ステップＳ２）。そして、入っていれば、第１の周期でビーコンを送信する通常モードを選択（ステップＳ３）した後、再び、ステップＳ１以降を繰り返す。一方、ステップＳ２の判定結果がＮＯの場合、すなわち、現在時刻が操作部１２で設定された通常モードの時間帯に入っていない場合は、当該現在時刻は第１の周期よりも長周期の第２の周期でビーコンを送信する省電力モードの時間帯に入っていると判断し、省電力モードを選択（ステップＳ４）した後、再び、ステップＳ１以降を繰り返す。
【００４２】
このように、定期的に現在時刻の読み込みを行い、その現在時刻が操作部１２で設定された通常モードの時間帯に入っているか否かを判定し、入っていれば「通常モード」を選択する一方、入っていなければ「省電力モード」を選択するという動作を繰り返し行うことにより、時系列的なスケジュールに沿って二つのモード（通常モードと省電力モード）を択一的に選択して使用することができる。そして、省電力モードを選択した場合はビーコンの送信回数を減らして（Ａｗａｋｅステート時間を減らして）、その減少分だけＡＰの電力消費を抑えることができる。
【００４３】
図５は、二つの動作モード（通常モードと省電力モード）の説明図である。（ａ）は全てのＡＰ２〜４が「通常モード」で動作しているときの状態、（ｂ）は１台のＡＰ２が「通常モード」で動作し、残りのＡＰ３、４が「省電力モード」で動作しているときの状態を表している。（ａ）の状態は多くのＳＴＡがＡＰに接続する時間帯（就業時間帯内）に対応し、（ｂ）の状態は少数のＳＴＡがＡＰに接続する時間帯（就業時間帯外）に対応する。このような運用を行うためには、ＡＰ３、４に図２（ｂ）の設定を行うとともに、ＡＰ２に図２（ｃ）の設定を行えばよい。ＡＰ３、４は０８：００〜１７：００まで「通常モード」、それ以外の時間帯は「省電力モード」で動作し、ＡＰ２は全日（２４時間）を通して「通常モード」で動作する。
【００４４】
以上のとおりであるから、本実施形態では、以下の効果を奏することができる。
（１）ＡＰの省電力性改善
通常のビーコン周期（第１の周期）に加え、その第１の周期よりも長周期のビーコン周期（第２の周期）を選択できるようにしたので、一般的にビーコン送信時の電力消費が大きいことから、このビーコンの送信頻度を少なくすることにより、ＡＰの省電力性を改善することができる。
（２）運用計画の柔軟性向上
ＡＰの動作モード（通常モードと省電力モード）を実情に即して自由に設定することができるから、たとえば、日中に多くのＳＴＡが存在し、夜間に少数のＳＴＡしか存在しない環境に設置されたＡＰに対しては、日中を「通常モード」、夜間を「省電力モード」にしたり、あるいは、不定期開催の会議場等に設置されたＡＰに対しては、開催期間を「通常モード」、それ以外の期間を「省電力モード」にしたり、自由に且つ柔軟に行うことができるので、無線ＬＡＮの環境維持を図りつつ、省電力性も追求できるというメリットが得られる。
（３）省電力モードのＡＰしかない場合の通信途絶回避
省電力モードのときも（通常モードのときよりも長周期であるが）ビーコン送信を行うようにしているので、省電力モードのＡＰしかない場合であっても、ＳＴＡは、この省電力モードのＡＰからのビーコンを捕捉し、このビーコンに応答してＡＰに対して接続要求を出すことができる。通常モードと省電力モードの違いは、もっぱらビーコンの周期にある。省電力モードの動作中とはいえ、ＡＰ（省電力モードで動作中のＡＰ）はＳＴＡからの接続要求に応えて接続を確立することができ、ＳＴＡとの間でデータの送受信を行うことができる。したがって、たとえ、省電力モードのＡＰしかない場合であっても、その近くのＳＴＡは当該ＡＰを介して通信を行うことができ、通信途絶は生じない。
【００４５】
実施形態は、他の様々な変形例や発展例を包含する。たとえば、以下のような発展例であってもよい。
図６は、実施形態の発展例を示す図である。この図において、有線ネットワーク１４に複数のＡＰ２〜４が接続されているとともに、ＡＰ管理サーバ１７が接続されている。このＡＰ管理サーバ（以下、単にサーバという）１７は、たとえば、パーソナルコンピュータであってもよい。要は、必要に応じて後述のインターフェース画面（図７参照）を表示することができ、さらに、ユーザ操作に応答して、そのインターフェース画面の内容を変更することができ、且つ、その変更結果を有線ネットワーク１４を介し、指定したＡＰに遠隔設定できる機能を有しているものであればよい。
【００４６】
図７は、インターフェース画面の一例図である。このインターフェース画面１８は、図６のサーバ１７のディスプレイ上に必要に応じて表示される。インターフェース画面１８は、最上部にタイトル文字列が入ったテキストエリア１９、その下にＡＰ指定用のリストボックス２０を配置するとともに、画面の中央ほぼ全体にスケジュール設定エリア２１を配置している。スケジュール設定エリア２１は、横方向を時間列（０〜２４）とし、縦方向を曜日行（日、月、火、水、木曜、金、土）とし、列と行の全ての交点にトグルボタン２２を配置している。なお、図では一部のトグルボタンにしか符号（２２）を入れていないが、これは図示の都合である。実際には、列と行の各交点に位置する全ての升目がトグルボタンである。
【００４７】
トグルボタン２２は個別に操作可能であり、操作のたびにボタンの表面色が第１の色（図では白色）と第２の色（図では便宜的にハッチングで示している）との間で交互に変化するようになっている。第１の色は「通常モード」に対応し、第２の色は「省電力モード」に対応する。
【００４８】
また、リストボックス２０のリスト項目には、全てのＡＰの名前（前記の例示に従えば、ＡＰ２の名前は“ＭｙＡｃｃｅｓｓＰｏｉｎｔ−１”、ＡＰ３の名前は“ＭｙＡｃｃｅｓｓＰｏｉｎｔ−２”、ＡＰ４の名前は“ＭｙＡｃｃｅｓｓＰｏｉｎｔ−３”である）が設定されており、リストボックス２０の右側の逆三角形ボタンを押すことにより、リスト項目を一覧表示し、その中の任意の名前を選択できるようになっている。
【００４９】
なお、祝日を考慮したチェックボックス２３を設けておき、このチェックボックス２３にチェックが入っている場合は、日曜の設定モードを祝日にも適用するようにすることが望ましい。
【００５０】
今、リストボックス２０で“ＭｙＡｃｃｅｓｓＰｏｉｎｔ−１”（ＡＰ２の名前）を選択した状態で、全てのトグルボタン２２の色を図示のように設定したと仮定する。つまり、日曜と土曜の全日（００：００〜２４：００）を第２の色に設定し、月曜から金曜までの０８：００（午前８時）〜１８：００（午後６時）を第１の色、残りの時間帯を第２の色に設定したと仮定する。
【００５１】
前記のとおり、第１の色は「通常モード」、第２の色は「省電力モード」であるから、この設定は、“ＭｙＡｃｃｅｓｓＰｏｉｎｔ−１”という名前を持つＡＰ２に対して、日曜と土曜の全日（００：００〜２４：００）は「省電力モード」で動作し、月曜から金曜までの０８：００（午前８時）〜１８：００（午後６時）は「通常モード」、残りの時間帯は「省電力モード」で動作するように指定する時系列的なスケジュールを設定したことになる。
【００５２】
他のＡＰ３、４に対しても同様である。リストボックス２０でＡＰ３の名前（“ＭｙＡｃｃｅｓｓＰｏｉｎｔ−２”）やＡＰ４の名前（“ＭｙＡｃｃｅｓｓＰｏｉｎｔ−３”）を選択し、上記の手順を繰り返せばよい。
【００５３】
このようなインターフェース画面１８を用いることにより、いちいちＡＰ２〜４の元に出向かずに所要のスケジュール設定を遠隔操作で行うことができる。さらに、直感性に優れたグラフィカルなインターフェース画面１８としたので、操作ミスを招きにくく、しかも、特別な訓練を要することなく誰でも簡単に所要のスケジュール設定を行うことができる。
【００５４】
図８は、図７のインターフェース画面１８の一部改良図である。（ａ）のように、省電力モードの強さを段階的に変更できるようにしてもよい。たとえば、省電力モードの強さを「弱」、「中」、「強」の三段階に変更可能にしてもよい。省電力性を重視する場合は「強」を選択し、通信環境を重視する場合は「弱」、それらの妥協を求める場合は「中」を選択すればよい。ここで、省電力モードの「弱」、「中」、「強」とは、第２の周期の長さを「短」、「中」、「長」に設定することをいい、時間の大小関係は「第１の周期」＜「短」＜「中」＜「長」である。
【００５５】
但し、このような改良案を採用する場合、二択動作のトグルボタン２２は使用できないので、トグルボタン２２の代わりに通常のボタンコントロールを使用することになる。そして、そのボタンコントロールを操作するたびに通常モードを含めた四つの色に順次変化するようなプログラムを組めばよい。たとえば、ボタンコントロールを操作するたびに１〜４までの間で変化するカウンタ変数を用意し、そのカウンタ変数の値に応じて、ボタンコントロールの表面色が、第１の色（通常モード）、第２の色（省電力モード／弱）、第３の色（省電力モード／中）及び第４の色（省電力モード／強）に変化する簡単なプログラムを組めばよい。なお、「変数」とは、任意の値を入れる（格納する）ことができる仮想的な入れ物を示すプログラム用語であって、実際上はメモリ上の特定番地の記憶空間（レジスタともいう）のことをいう。
【００５６】
または、（ｂ）のようにしてもよい。この（ｂ）は省電力モード用の設定ボタン２４を設けておき、この設定ボタン２４が押されたときに、省電力モードの強さを無段階で設定可能なスライドバーコントロール２５を画面に表示するというものである。このようにすれば、トグルボタン２２をそのまま残しておくことができ、しかも、省電力モードの強さを無段階に調整できるから、実情に即したきめ細かな省電力性能を得ることができる。
【００５７】
図９は、ＡＰ２〜４及びＳＴＡ５〜７とサーバ１７との関係図である。サーバ１７は、ＡＰの情報取得１７ａ、ＳＴＡ配置の計算１７ｂ、動作モードの変更命令１７ｃ、ＳＴＡ配置命令１７ｄ、ＡＰ情報リストの更新１７ｅ、利用状況設定１７ｆの各機能を含み、ＡＰ２〜４は、動作モード変更２ａ、ＳＴＡ受け渡し命令２ｂ、ＡＰ情報の更新２ｃの各機能を含み、ＳＴＡ５〜７は、ＳＴＡ移動５ａの機能を含む。
【００５８】
サーバ１７は、ＡＰの情報取得を行う（１７ａ）。これは管理しているＡＰが今どの状態にあるのか（ＡＰの動作モードおよびＳＴＡの接続数など）を調査するための動作である。サーバ１７は、利用状況設定１７ｆの機能を用いてあらかじめユーザによって設定されている利用状況設定に基づき、各利用状況（負荷軽減か省電力）用のＳＴＡ配置の計算を行う（１７ｂ）。ここでは、どのＡＰにどのＳＴＡを接続させたらよいかを計算する。負荷軽減の場合はなるべく多くの数のＡＰに分散させてＳＴＡが接続するように計算するが、省電力の場合はなるべく少ない数のＡＰにＳＴＡが接続するように計算する。サーバ１７は、各ＡＰに動作モード（通常モードまたは省電力モード）を指示する（１７ｃ）。サーバ１７は、各ＡＰにＳＴＡを受け渡す内容を指示する（１７ｄ）。サーバ１７は、動作モードの変更とＳＴＡの配置が完了した後のＡＰ情報をリスト管理して更新する（１７ｅ）。サーバ１７は、これらの機能的動作（１７ａ〜１７ｅ）を繰り返し定期的に行う。
【００５９】
ＡＰ２〜４は、サーバ１７の動作モード変更（１７ｃ）で指示された動作モード変更命令に基づき動作モード（通常モードまたは省電力モード）の変更を行う（２ａ）。ＡＰ２〜４は、サーバ１７のＳＴＡ配置命令（１７ｄ）で指示されたＳＴＡ配置に基づき自分のＳＴＡをどこに受け渡すかを判断し、各ＳＴＡへ移動の命令を行う（２ｂ）。ＡＰ２〜４は、ＡＰ情報を更新（２ｃ）する。更新された情報はサーバ１７のＡＰの情報取得（１７ａ）で利用される。
ＳＴＡ５〜７は、ＡＰ２〜４のＳＴＡ受け渡し命令（２ｂ）で指示された受け渡し命令に基づき、受け渡し先のＡＰに接続をし直す。
【００６０】
このようにして、それぞれのＡＰ２〜４の負荷分散を図って特定ＡＰへの接続集中を回避し、データの輻輳を防止できることに加え、さらに、ＡＰ２〜４各々の動作モード（通常モードと省電力モード）をサーバ１７からの制御によって自由に設定できるから、省電力モードで動作するＡＰの台数を運用実態に即して適切に設定することにより、システム全体の消費電力抑制を図り、もって、省エネに貢献できるという特有の効果が得られる。
【００６１】
ここで、ＡＰ２〜４の「省電力モード」について子細に検討する。ＡＰ２〜４の省電力モードとは、要するに、ＡＰ２〜４の電力消費量を抑えるための動作モードのことをいう。電力消費量が最も少ない（したがって、省電力効果が最も高い）のはいうまでもなくＡＰ２〜４の電源をオフにしたときであるが、電源オフ状態のＡＰ２〜４はもはや無線中継装置としての役割を果たさない（存在しないのと一緒である）ので無線ＬＡＮシステムになじまない。もし、そのようなＡＰ（電源オフのＡＰ）の近くにＳＴＡが位置した場合、当然ながらそのＳＴＡを無線接続できないからである。
【００６２】
したがって、たとえ省電力モードとはいえ、ＡＰ２〜４の基本機能（無線中継機能）は残しておかなければならない。つまり、無線中継という基本機能を残しつつ、消費電力の抑制を図る必要がある。この命題を達成するために、本件発明者らは鋭意検討を重ねた。その結果、ビーコンの送信周期を調節することにより、上記の命題、つまり、無線中継という基本機能を残しつつ、消費電力の抑制を図ることができることに想到した。
【００６３】
たとえば、通常モードのときのビーコン周期（第１の周期）を一般的な１００ｍｓとし、省電力モードのときのビーコン周期（第２の周期）をその５倍の長さの５００ｍｓとすれば、１秒当たりのビーコン送信回数を通常モードの１０回から省電力モードの２回へと１／５に低減することができる。そして、ビーコン送信時（つまりＡＷａｋｅステート）の電力消費は非送信時に比べて大きいのが明らかであるから、結局のところ、ビーコン送信回数の低減に伴い、ＡＰ（省電力モードで動作中のＡＰ）の電力消費を抑えることができ、加えて、長周期とはいえ定期的なビーコン送信を行っているから、無線中継器としての基本機能を喪失することもない。このように、ビーコンの送信周期を調節することにより、上記の命題、つまり、無線中継という基本機能を残しつつ、消費電力の抑制を図ることができるのである。
【００６４】
第２の周期はもちろん上記の例示（５００ｍｓ）に限らない。省電力性を重視するのであれば、より長くしてもかまわない。但し、ＳＴＡの側にビーコン探索の上限時間（いわゆるタイムアウト）が設定されている場合は、そのタイムアウトを超えない周期に設定する必要がある。タイムアウトが設定されていない場合は第２の周期を長くすることに何らの支障もない。第２の周期の最大長は（上記のタイムアウトを無視すれば）、もっぱらＳＴＡユーザの体感（我慢できる限界）に依存する。多くのユーザは数秒から数十秒程度の待ち時間は許容するはずであるし、あるいは、数分程度であっても一日に数回程度しか接続しない場合には「なかなかつながらない」とは思うものの、多くのユーザは待ちを許容するはずである。このような視点から、第２の周期は状況が許す限り、できるだけ長くすることが望ましい。長くするほど省電力性を改善できる。
【００６５】
ところで、近年では固定型ではなく携帯可能なアクセスポイントが実用化されている。たとえば、ＰｏｃｋｅｔＷｉＦｉ（イー・モバイル株式会社の登録商標）のようなアクセスポイントである。以下、この種のアクセスポイントを便宜的に「携帯ＡＰ」ということにする。携帯ＡＰは、無線中継装置としての機能に加え、携帯電話網を利用してデータ伝送を行う無線通信装置としての機能も有していることが特徴である。
【００６６】
図１０（ａ）は、携帯ＡＰの典型的な利用状態図である。この図において、ユーザ２６はカバン２７の中に携帯ＡＰ２８を入れており、さらに、ＳＴＡ機能を有する携帯情報端末２９を携行している。携帯ＡＰ２８は、最寄りの携帯電話基地局３０との間でデータ伝送を行うことが可能であり、且つ、所定の距離範囲にビーコンを送信し、そのビーコンに応答したＳＴＡ（この図では携帯情報端末２９）との間でワイヤレス接続を確立することが可能である。
【００６７】
したがって、携帯情報端末２９と携帯ＡＰ２８との距離が所定内で、且つ、この携帯ＡＰ２８が携帯電話基地局３０のサービスエリア内に位置しているという二つの条件を満たしている場合に、携帯情報端末２９は携帯ＡＰ２８を介して携帯電話網にアクセスすることができるから、ユーザ２６は、たとえば、メールの受信やインターネットサーフィンなどを場所を選ばず行うことができる。このように、携帯ＡＰ２８を持ち歩くだけで、電話機能を持たないＳＴＡ機能付の携帯情報端末２９を携帯電話網のデータ端末として自由に利用することができる。
【００６８】
さて、出先等に固定のＡＰが設置された場所が存在することがある。たとえば、ホットスポット（エヌ・ティ・ティ・コミュニケーションズ株式会社の登録商標）などと呼ばれる場所（駅や空港あるいは喫茶店など）である。
【００６９】
図１０（ｂ）は、ホットスポットにおける利用状態図である。この図において、ユーザ２６は、今までであれば携帯ＡＰ２８の電源をオフにし、携帯情報端末２９を操作してホットスポット３１のＡＰ３２に接続するという手順を踏む必要があった。本実施形態の技術思想を適用すれば、このような面倒な手順を踏まなくてもよくなる。
【００７０】
そのために必要な技術事項は、第一に、携帯ＡＰ２８の動作モードが通常モードと省電力モードの二つに切り換え可能であること、第二に、携帯ＡＰ２８以外から発射されたビーコン（この図ではホットスポット３１のＡＰ３２から発射されたビーコン）を捕捉できること、第三に、携帯ＡＰ２８以外から発射されたビーコンを捕捉したときに携帯ＡＰ２８の動作モードを通常モードから省電力モードへと切り換えできること、の少なくとも三つである。
【００７１】
第一は携帯ＡＰ２８に実装する技術であるが、第二と第三の技術は、携帯ＡＰ２８と携帯情報端末２９のいずれに実装してもよい。現実的に、携帯情報端末２９はビーコンの捕捉機能（ＳＴＡ機能）を有しているのであるから、第二の技術は携帯情報端末２９に実装するのが自然であり、また、ビーコン捕捉時に携帯ＡＰ２８の動作モードを通常モードから省電力モードへと切り換えるための第三の技術も携帯情報端末２９に実装するのが自然である。
【００７２】
このような三つの技術事項を適用した携帯ＡＰと携帯情報端末２９とを使用することにより、たとえば、図１０（ｂ）のようなホットスポット３１に近づいた場合に、そのホットスポット３１のＡＰ３２から発射されたビーコンを携帯情報端末２９のＳＴＡ機能で捕捉し、且つ、そのビーコン捕捉に応答して、携帯ＡＰ２８の動作モードを通常モードから省電力モードへと切り換えることができるので、以降、携帯情報端末２９は、ホットスポット３１のＡＰ３２からのビーコンに応答して、そのＡＰ３２との間でワイヤレス接続を確立し、ホットスポット３１のＡＰ３２を介してネットワークアクセスすることができるようになり、結局、上記の手順（携帯ＡＰ２８の電源オフ等）を省くことができるというメリットが得られる。加えて、その間、携帯ＡＰ２８は省電力モードで動作するから、携帯ＡＰ２８の電力消費を抑えてバッテリを長持ちさせることができるというメリットも得られる。
【００７３】
以下、本発明の諸態様を付記としてまとめて記載する。
（付記１）
ビーコンを発射し、前記ビーコンに応答した端末との間で無線による接続を行う無線中継装置において、
前記ビーコンを第１の周期で発射する通常モードと、前記ビーコンを前記第１の周期よりも長周期の第２の周期で発射する省電力モードとを択一的に選択可能な選択手段を備えたことを特徴とする無線中継装置。
付記１によれば、第１の周期よりも長周期の第２の周期でビーコンを発射するのでビーコンの発射回数を減らして省電力性を改善することができ、また、ビーコンが途絶しないので接続の遅滞を招くこともない。
【００７４】
（付記２）
前記選択手段に対して、前記通常モードと前記省電力モードのいずれを選択するかを指定するためのユーザインターフェースを提供するユーザインターフェース手段をさらに備えたことを特徴とする付記１に記載の無線中継装置。
付記２によれば、二つの動作モードの設定を人為的に行うことができる。
【００７５】
（付記３）
付記１に記載の無線中継装置を含む無線ＬＡＮシステムであって、
付記２に記載のユーザインターフェース手段を備えた制御装置をＬＡＮ上に有することを特徴とする無線ＬＡＮシステム。
付記３によれば、二つの動作モードの設定をＬＡＮ上で人為的且つ遠隔的に行うことができる。
【００７６】
（付記４）
付記２に記載のユーザインターフェース手段は、時系列的なスケジュールに沿って前記通常モードと前記省電力モードとを択一的に指定可能であることを特徴とする無線中継装置。
付記４によれば、たとえば、午前８時から午後５時の間は通常モード、それ以外は省電力モードという具合に日常の行動に即した適切な運用スケジュールを設定することができる。
【００７７】
（付記５）
付記１に記載の選択手段は、他の無線中継装置からのビーコン受信の有無に応じて、前記通常モードと前記省電力モードとを択一的に指定可能であることを特徴とする無線中継装置。
付記５によれば、たとえば、携帯型の無線中継装置に適用して好適な技術を提供できる。
【００７８】
（付記６）
前記第２の周期を段階的又は無段階に変更できる周期変更手段をさらに備えたことを特徴とする付記に記載の無線中継装置。
付記６によれば、省電力モードの強さを変更することができ、きめ細かな省電力効果を得ることができる。
【００７９】
（付記７）
ビーコンを発射し、前記ビーコンに応答した端末との間で無線による接続を行う無線中継装置の制御方法において、
前記ビーコンを第１の周期で発射する通常モードと、前記ビーコンを前記第１の周期よりも長周期の第２の周期で発射する省電力モードとを択一的に選択可能な選択工程を含むことを特徴とする無線中継方法。
付記７によれば、付記１と同様に、ビーコンを第１の周期よりも長周期の第２の周期で発射するのでビーコンの発射回数を減らして省電力性を改善することができ、また、ビーコンが途絶しないので接続の遅滞を招くこともない。
【００８０】
（付記８）
ビーコンを発射し、前記ビーコンに応答した端末との間で無線による接続を行う無線中継装置のコンピュータを、
前記ビーコンを第１の周期で発射する通常モードと、前記ビーコンを前記第１の周期よりも長周期の第２の周期で発射する省電力モードとを択一的に選択可能な選択手段として機能させるためのプログラム。
付記８によれば、付記１の機能をソフトウェア（プログラム）の形で提供することができる。
【符号の説明】
【００８１】
２〜４  ＡＰ（無線中継装置）
５〜７  ＳＴＡ（端末）
１０  制御部（選択手段、コンピュータ）
１２  操作部（ユーザインターフェース）
１４  有線ネットワーク（ＬＡＮ）
１７  サーバ（制御装置、ユーザインターフェース手段）
１８  ユーザインターフェース画面（ユーザインターフェース）
２５  スライドバーコントロール（周期変更手段）
【図１】
2012081177.tif 000003
【図２】
2012081177.tif 000004
【図３】
2012081177.tif 000005
【図４】
2012081177.tif 000006
【図５】
2012081177.tif 000007
【図６】
2012081177.tif 000008
【図７】
2012081177.tif 000009
【図８】
2012081177.tif 000010
【図９】
2012081177.tif 000011
【図１０】
2012081177.tif 000012
【国際調査報告】
2012081177.tif 000013
2012081177.tif 000014
2012081177.tif 000015
2012081177.tif 000016